(57)【要約】【課題】建物のエクステリアを構成するデッキ床と地面との間の段差を解消するための、デッキと連続するスロープや、傾斜した通路を構成するスロープについて、新規の構造を提案する。【解決手段】傾斜配置される少なくとも二本の大引２１，２１と、大引２１，２１の間に架設される床材（スロープスタータ５Ａ、デッキ材３）と、を有するスロープ５の構造であって、大引２１，２１の先端部２１ａが地面８よりも低い位置に配置される、スロープ５の構造とする。【選択図】図１
2014125744.tif 000002
【特許請求の範囲】
【請求項１】
傾斜配置される少なくとも二本の大引と、
大引の間に架設される床材と、
を有するスロープの構造であって、
前記大引の先端部が地面よりも低い位置に配置される、スロープの構造。
【請求項２】
前記大引の先端部において架設される前記床材の一部は、
前記地面に埋設される、
ことを特徴とする、請求項１に記載のスロープ構造。
【請求項３】
前記大引は、
接合金具を介して束柱に固定されるものであり、前記接合金具に対する前記束柱の角度設定によって、前記大引の傾斜角度が設定される、
ことを特徴とする、請求項１又は請求項２に記載のスロープの構造。
【請求項４】
前記大引の先端部において架設される前記床材は、スロープスタータであり、
前記大引の先端部と反対側において前記スロープスタータに隣接して前記大引に架設される前記床材は、デッキ材であり、
前記スロープスタータの板厚方向の厚みと、奥行幅方向の幅は、前記デッキ材の板厚方向の厚みと、奥行幅方向の幅と、略同一に構成される、
ことを特徴とする、請求項１乃至請求項３のいずれか一項に記載のスロープの構造。
【発明の詳細な説明】
【技術分野】
【０００１】
本発明は、住宅や中規模施設といった建物のエクステリアを構成するデッキに関連し、より詳しくは、デッキと連続するスロープや、傾斜した通路などを構成するスロープの構造に関するものである。
【背景技術】
【０００２】
従来、例えば特許文献１に開示されるように、床と地面の間の段差を解消して、なだらかな傾斜面を構成するための踏板装置が知られている。
【０００３】
この特許文献１では、複数の中間パネルを傾斜して配置するとともに、中間パネルと地面の間に専用の後部パネルを設けることで、水平な地面と傾斜する中間パネルの間を後部パネルによって連続させる構成とし、地面から床面にかけて連続した傾斜面を有するスロープが構成されるようになっている。
【０００４】
他方、例えば特許文献２に開示されるように、建物のエクステリアを構成するデッキについての技術も知られている。
【０００５】
この種のデッキは、一般に基礎石上に起立固定した多数の束柱に大引を架設固定し、大引に直交するように長尺のデッキ材（床材）を載置固定してなるものである。
【０００６】
デッキ材は、例えば、合成樹脂と木粉を混合した中空押出成形材によって人工木として構成されており、長いホロー部（中空部）がデッキ材に複数形成されるようになっている。
【先行技術文献】
【特許文献】
【０００７】
【特許文献１】特許第２７２６９７８号明細書
【特許文献２】特許第３８４２６７８号明細書
【発明の概要】
【発明が解決しようとする課題】
【０００８】
特許文献１に開示される構成では、中間パネルとは異なる形状の専用の後部パネルを準備する必要があり、後部パネルについては、スロープの距離や角度に応じて、その都度寸法設計や角度設計が必要とされるものであり、より汎用性の高い構成が求められていた。
【０００９】
また、コンクリートを打設してスロープを構成することも考えられるが、施工手間や施工期間を要するとともに、劣化によるひび割れなどが生じ易く、さらには、撤去やメンテナンスがし難いといった別の課題も生じることになる。
【００１０】
さらに、例えば、地面から玄関までの間の段差解消のためにスロープを設けるニーズや、病院、老人介護施設、公共施設などでのバリアフリーの観点から、様々なエリア、ゾーンにスロープを設置したいというニーズが高まっている。
【００１１】
そこで、本発明は以上の構成に鑑み、スロープの構造について、様々な施工現場に対応することができる新規な技術を提案するものである。
【課題を解決するための手段】
【００１２】
本発明の解決しようとする課題は以上の如くであり、次にこの課題を解決するための手段を説明する。
【００１３】
即ち、請求項１に記載のごとく、
傾斜配置される少なくとも二本の大引と、
大引の間に架設される床材と、
を有するスロープの構造であって、
大引の先端部が地面よりも低い位置に配置される、スロープの構造とする。
【００１４】
また、請求項２に記載のごとく、
大引の先端部において架設される床材の一部は、地面に埋設される、こととする。
【００１５】
また、請求項３に記載のごとく、
大引は、接合金具を介して束柱に固定されるものであり、接合金具に対する束柱の角度設定によって、大引の傾斜角度が設定される、こととする。
【００１６】
また、請求項４に記載のごとく、
大引の先端部において架設される床材は、スロープスタータであり、大引の先端部と反対側においてスロープスタータに隣接して大引に架設される床材は、デッキ材であり、スロープスタータの板厚方向の厚みと、奥行幅方向の幅は、デッキ材の板厚方向の厚みと、奥行幅方向の幅と、略同一に構成される、こととする。
【発明の効果】
【００１７】
本発明の効果として、以下に示すような効果を奏する。
【００１８】
即ち、請求項１に記載の発明においては、地面に対する大引の先端部の埋め込み深さを調整することで傾斜面の微妙な角度調整が可能なため、施工条件が異なる現場での対応力を向上させることができる。つまり、様々な施工現場に対応することができるスロープの構造が実現される。
【００１９】
また、請求項２に記載の発明においては、地面と傾斜面の間において段差の少ない構成を実現することができる。
【００２０】
また、請求項３に記載の発明においては、大引の傾斜角度を容易に設定することができ、これに伴って、傾斜面の角度を容易に設定することができる。
【００２１】
また、請求項４に記載の発明においては、スロープスタータとデッキ材を連続的に配置した場合でも、両者の境界部に大きな段差が生じることがなく、連続した一連の傾斜面を構成することができ、傾斜面においてスムーズな移動が可能となる。また、デッキに対し連続的に繋がるアプローチを構成する場合において、デッキとの一体感を持たせた意匠性の高いスロープを構成することができる。
【図面の簡単な説明】
【００２２】
【図１】本発明を適用するデッキの構成例について示す斜視図
【図２】スロープの地面に近い側の部位の構造について示す斜視図
【図３】スロープスタータとデッキ材の傾斜配置について示す側面断面図
【図４】（Ａ）は束柱に対する大引の固定の形態について説明する側面図。（Ｂ）は束柱に対する大引の固定の形態について説明する断面図。
【発明を実施するための形態】
【００２３】
以下、本発明の実施形態を図面に基づいて説明する。
図１は、本発明のスロープの構造を適用した全体構成例について示す図である。この例では、デッキ１０に連続するアプローチとして機能するスロープ５が構成されることとしている。
【００２４】
図１において、デッキ１０は、テラス窓１１の室外側に設置されており、基礎石上に多数の束柱１を起立固定し、束柱１上にデッキ材３を支持するための大引２が架設固定される。
【００２５】
大引２はテラス窓１１の間口方向に伸びるように配置され、この大引２に直交するようにデッキ材３、３が並列されて大引２に載置固定され、デッキ材３、３の表面により、連続した床面３０が構成される。
【００２６】
この床面３０の周囲の二辺、乃至、三辺を囲繞するように、デッキ材３の長手方向端面にはデッキ材３と直交するように幕板４が固定され、デッキ材３の側面には幕板４がデッキ材３と平行に固定される。
【００２７】
また、スロープ５は、デッキ１０において使用されるデッキ材３と共通のデッキ材３を用いて傾斜面を構成しており、各デッキ材３は、傾斜配置される大引２１，２１に載置固定されるようになっている。なお、スロープ５において地面８に近い側部位については、スロープスタータ５Ａ，５Ａとして、例えば、アルミ押出成形材などからなるデッキ材３と異なる素材によって構成されることとしてもよい。
【００２８】
スロープ５を構成する大引２１，２１は、高さ寸法の異なる束柱２２，２３に架設されて傾斜面が構成される。大引２１，２１における低い側の先端部は、例えば、地面８に埋められる。なお、地面８は、土である場合のほか、コンクリートや砂利など施工現場によって異なることが想定される。
【００２９】
以上の構成において、束柱１，２２，２３及び大引２，２１は、中空のアルミ押出成形材により構成することができる。また、デッキ材３及び幕板４は、合成樹脂と木粉を混合した押出成形材にて構成され、その外層を木目調とする人工木とすることで、木調デッキ材や木調幕板として構成することができる。
【００３０】
図２は、スロープ５の地面８に近い側の部位の構造について示す斜視図である。二本の大引２１，２１と直交するように、デッキ材３とスロープスタータ５Ａが架設されている。
【００３１】
大引２１は、図示せぬ束柱によって傾斜するように支えられており、その先端部２１ａが地面８よりも低い位置に配置されるようになっている。本実施例では、地面８が土によって構成されており、大引２１の先端部２１ａが土中に埋め込まれるようになっている。
【００３２】
大引２１が傾斜することにより、地面８に近い側に配置されるスロープスタータ５Ａと、スロープスタータ５Ａに連続して配置されるデッキ材３とによって、連続した一連の傾斜面６が構成されるようになっている。なお、以下の実施形態では、スロープスタータ５Ａをデッキ材３と別の部材にて構成したが、スロープスタータ５Ａが配置される部位にデッキ材３を設置してもよい。
【００３３】
スロープスタータ５Ａとデッキ材３は、それぞれ長尺の中空部材により構成されるものであって、その端部の開口を覆うための端部カバー５Ｂ，３Ｂがそれぞれ設けられている。これら、端部カバー５Ｂ，３Ｂは、幕板として機能し、スロープ５の側面の化粧部材となる。
【００３４】
図３は、スロープスタータ５Ａとデッキ材３の傾斜配置について示す側面図である。本実施形態では、スロープスタータ５Ａは、アルミ押出成形材にて構成されており、奥行幅方向Ｎにおいて離間する５つの縦面部５１ａ〜５１ｅと、各縦面部５１ａ〜５１ｅの上端部を接続する板面部５２ａ〜５２ｄと、各縦面部５１ａ〜５１ｅと各板面部５２ａ〜５２ｄによって囲まれる略コ字状の空間で構成する中空部５３ａ〜５３ｄと、を有して構成されている。なお、スロープスタータ５Ａをデッキ材３と同様に木調デッキ材で構成することや、デッキ材３と同一の断面形状にて構成することとしてもよい。
【００３５】
スロープスタータ５Ａは、縦面部５１ａ〜５１ｅが大引２１の上面２１ｂに載置され、奥行幅方向Ｎの両端部において、それぞれビス７によって固定される。なお、スロープスタータ５Ａの奥行幅方向Ｎにおける一側端には固定片部５８ａが設けられ、他側端には押さえ片部５８ｂが設けられる。そして、二つのスロープスタータ５Ａ，５Ａの境界部においては、一方のスロープスタータ５Ａの固定片部５８ａが他方のスロープスタータ５Ａの押さえ片部５８ｂによって上から押さえ込まれつつ、ビス７によって大引２１に留め付けられるようになっている。
【００３６】
大引２１は、水平面（地面８）に対し角度θの傾斜を有して配置されることにより、スロープスタータ５Ａの各板面部５２ａ〜５２ｃが傾斜して配置され、傾斜面６の一部を構成するようになっている。
【００３７】
板面部５２ａ〜５２ｃには、下に窪む凹溝部５４ａ〜５４ｃが構成されており、各凹溝部５４ａ〜５４ｃには、樹脂製の棒状の滑り止め部材５５が挿入されている。
【００３８】
この滑り止め部材５５の上面には、複数の突条部５５ａ，５５ａと溝部５５ｂ，５５ｂが形設されており、これにより、滑り止め部材５５の上面の摩擦抵抗を大きくすることで、滑り難い構成が実現されている。
【００３９】
特に、本実施例のように、アルミ押出成形材にてスロープスタータ５Ａを構成する場合には、表面が滑り易い構成となるため、このような滑り止め部材５５を設ける構成とすることが好ましい。
【００４０】
また、スロープスタータ５Ａは、平坦な地面８と傾斜面６が切り替わる箇所に配置されるものであるから、特に、滑り止め部材５５を設ける構成とすることが好ましいこととなる。
【００４１】
また、各滑り止め部材５５は、スロープスタータ５Ａの各板面部５２ａ〜５２ｃにおいて、傾斜の上側に寄った位置に配置されている。
【００４２】
このように、特にスロープスタータ５Ａの地面８に近い先端側の滑り止め部材５５が極力地面８から離れた位置に配設され、滑り止め部材５５が極力地面８に埋まらないよう配慮することで、地面８に近い先端側の滑り止め部材５５が配置される部位において、汚れや水が溜まることを防止することが可能となる。
【００４３】
さらに、図２に示すように、滑り止め部材５５が幅方向Ｗに伸びるラインを構成することになり、このラインがアクセントとなって、傾斜面６の開始、終了がなされる部位であることの注意喚起を促す、といった効果も得られる。
【００４４】
また、図３に示すように、本実施形態では、スロープスタータ５Ａは二つ連続して設置されており、奥行幅方向Ｎにおいて上側のスロープスタータ５Ａには、デッキ材３が隣接して配置されている。このデッキ材３はスロープスタータ５Ａと連続するように配置されており、両者によって連続した一連の傾斜面６が構成されるようになっている。
【００４５】
デッキ材３は、例えば、合成樹脂と木粉を混合した中空押出成形材によって人工木により構成されるものであり、奥行幅方向Ｎにおいて３つの中空部３１を構成するように、上面部３２と、下面部３３と、縦面部３４ａ〜３４ｄを有して構成されている。なお、デッキ材３については、アルミ押出成形材で構成されることとしてもよい。
【００４６】
デッキ材３は、下面部３３が大引２１の上面２１ｂに載置され、奥行幅方向Ｎにおいてスロープスタータ５Ａと反対側の端部においては、ビス７や固定金具９によって固定される。また、デッキ材３の奥行幅方向Ｎにおいてスロープスタータ５Ａ側の端部においては、スロープスタータ５Ａの端部に設けた押さえ片部５８ｂによって上側から押さえ込まれるようになっている。
【００４７】
大引２１は、水平面（地面８）に対し角度θの傾斜を有して配置されることにより、デッキ材３の上面部３２が傾斜して配置され、傾斜面６の一部を構成するようになっている。
【００４８】
図４（Ａ）（Ｂ）は、束柱２２に対する大引２１の固定の形態について説明する図である。束柱２２は、中空の角柱にて構成されており、その上端部に接合金具６０が固定される。
【００４９】
具体的には、接合金具６０は、束柱２２の側面部２２ａ，２２ｂの外側に配置される縦板面部６０ａ，６０ｂと、縦板面部６０ａ，６０ｂの上端部を結ぶ横板面部６０ｃとを有しており、側面部２２ａ，２２ｂ及び縦板面部６０ａ，６０ｂについて、ボルト６２を横方向に貫通させるとともに、ナット６３をボルト６２の突出端に螺合することで、接合金具６０が束柱２２に対して角度変更可能に仮留めできるようになっている。
【００５０】
さらに、接合金具６０は、大引２１の下面２１ｃから下側に延出される側面部２１ｄ，２１ｅの内側に配置される縦板面部６０ｄ，６０ｅを有しており、この側面部２１ｄ，２１ｅと縦板面部６０ｄ，６０ｅとを接触させつつ、縦板面部６０ｄ，６０ｅの外側からビス６４，６４（ドリルネジ）をそれぞれ奥行幅方向Ｎの二箇所において打ち込むことにより、接合金具６０と大引２１が固定される。
【００５１】
そして、このように接合金具６０と大引２１を固定した後に、仮留めしていたボルト６２とナット６３を増し締めするとともに、縦板面部６０ａ，６０ｂの外側からビス６５，６５（ドリルネジ）を奥行幅方向Ｎの二箇所において打ち込むことにより、接合金具６０と束柱２２が固定される。
【００５２】
以上のようにして、接合金具６０を用いることにより、大引２１を所望の角度に傾斜させた状態で束柱２２に対して大引２１を固定することが可能となっている。そして、この大引２１の角度設定によって、傾斜面６（図３）の角度θ（図３）を所望の値に設定することができる。角度θ（図３）については、施工現場や車椅子利用などを想定して適宜設定されるものであり、特に限定されるものではない。
【００５３】
また、現場での大引２１の角度設定を想定し、束柱２２について予め所定の長さに加工した上で現場に搬入することとしてもよい。
【００５４】
以上のようにして本発明を実施することができる。
即ち、図１乃至図３に示すごとく、
傾斜配置される少なくとも二本の大引２１，２１と、
大引２１，２１の間に架設される床材（スロープスタータ５Ａ、デッキ材３）と、
を有するスロープ５の構造であって、
大引２１，２１の先端部２１ａが地面８よりも低い位置に配置される、スロープ５の構造とするものである。
【００５５】
これにより、地面８に対する大引２１，２１の先端部２１ａの埋め込み深さを調整することで傾斜面の微妙な角度調整が可能なため、施工条件が異なる現場での対応力を向上させることができる。つまり、様々な施工現場に対応することができるスロープの構造が実現される。
【００５６】
また、図１乃至図３に示すごとく、
大引２１，２１の先端部２１ａにおいて架設される床材の一部は、地面８に埋設される、スロープ５の構造とするものである。
【００５７】
これにより、地面８と傾斜面６の間において段差の少ない構成を実現することができる。
【００５８】
また、図３及び図４（Ａ）（Ｂ）に示すごとく、
大引２１，２１は、
接合金具６０を介して束柱２２に固定されるものであり、
接合金具６０に対する束柱２２の角度設定によって、
大引２１，２１の傾斜角度が設定される、こととしている。
【００５９】
これにより、大引２１，２１の傾斜角度を容易に設定することができ、これに伴って、傾斜面６の角度を容易に設定することができる。
【００６０】
また、図１乃至図３に示すごとく、
大引２１，２１の先端部２１ａにおいて架設される床材は、スロープスタータ５Ａであり、
大引２１，２１の先端部２１ａと反対側においてスロープスタータ５Ａに隣接して大引２１，２１に架設される床材は、デッキ材３であり、
スロープスタータ５Ａの板厚方向Ｈの厚みＨ１と、奥行幅方向Ｎの幅Ｎ１は、
デッキ材３の板厚方向Ｈの厚みＨ２と、奥行幅方向Ｎの幅Ｎ２と、略同一に構成される、こととしている。
【００６１】
これにより、スロープスタータ５Ａとデッキ材３を連続的に配置した場合でも、両者の境界部に大きな段差が生じることがなく、連続した一連の傾斜面６を構成することができ、傾斜面６においてスムーズな移動が可能となる。また、図１に示すようにデッキ１０に対し連続的に繋がるアプローチを構成する場合において、デッキ１０との一体感を持たせた意匠性の高いスロープ５を構成することができる。
【００６２】
また、図２及び図３に示すごとく、
スロープスタータ５Ａの上面２１ｂには、滑り止め部材５５が設けられる、こととしている。
【００６３】
これにより、滑り止め部材５５の上面の摩擦抵抗により、滑り難い構成を実現することができる。また、滑り止め部材５５がアクセントとなって、傾斜面６の開始、終了がなされる部位であることの注意喚起を促す、といった効果も得られる。
【００６４】
また、図２及び図３に示すごとく、
スロープスタータ５Ａは、アルミ押出成形材であり、
デッキ材３は、合成樹脂と木粉を混合した押出成形材からなる木調デッキ材である、こととしている。
【００６５】
これにより、特にスロープスタータ５Ａが地面８に埋められる場合には、アルミ押出成形材による高い耐候性を発揮することができ、耐用年数の長期化を図ることが可能となる。仮に、合成樹脂と木粉の混合材の人工木の場合、地中に埋めると吸水膨張などによる劣化や破損が懸念されるが、アルミ押出成形材の場合には、このような現象が発生しないものとなる。
【産業上の利用可能性】
【００６６】
本発明は、住宅や中規模施設といった建物のエクステリアを構成するデッキの他、病院、老人介護施設、公共施設などにおいて、段差を解消するスロープとして、利用することができる。
【符号の説明】
【００６７】
３    デッキ材
４    幕板
５    スロープ
５Ａ    スロープスタータ
５Ｂ    端部カバー
６    傾斜面
８    地面
１０    デッキ
２１    大引
２１ａ    先端部
２２    束柱
３０    床面
３１    中空部
３２    上面部
３３    下面部
θ    角度
【図１】
2014125744.tif 000003
【図２】
2014125744.tif 000004
【図３】
2014125744.tif 000005
【図４】
2014125744.tif 000006